【事件の表示】
　特願２０１１−５０９５２７「電子娯楽システムにおけるジェスチャーに関連するフィードバック」拒絶査定不服審判事件〔平成２１年１１月１９日国際公開、ＷＯ２００９／１４００２４、平成２３年　８月　４日国内公表、特表２０１１−５２３０８８〕について、次のとおり審決する。
【結　論】
　本件審判の請求は、成り立たない。
【理　由】
第１　手続の経緯
　
　本願は、平成２１年４月１６日（パリ条約に基づく優先権主張　平成２０年５月１５日　米国）を国際出願日とする出願であって、平成２５年６月３日付け拒絶理由通知に対して同年９月３日付けで意見書の提出と共に手続補正がなされ、同年９月２６日付け拒絶理由通知に対して同年１１月１２日付けで意見書が提出され、同年１２月４日付け拒絶理由通知に対して平成２６年２月１９日付けで意見書が提出され、同年３月２５日付けで拒絶査定がなされた。これに対し、同年７月１１日付けで拒絶査定不服審判が請求されたものである。
　
　
第２　本願発明について 
１．本願発明
　
　本願の請求項１に係る発明（以下、「本願発明」という。）は、平成２５年９月３日付け手続補正書の特許請求の範囲の請求項１に記載された次のとおりのものである。 
　
「【請求項１】
　カラオケシステムでユーザーフィードバックを提供する方法（１００）であって、前記カラオケシステムは、１つまたは複数の動きセンサーを有するマイクロフォンを備え、前記カラオケシステムは、前記マイクロフォンと通信状態にある娯楽コントローラー（entertainment controller）も備え、前記方法（１００）は、
　ユーザーにマイクロフォンジェスチャー(microphone gesture)入力を求める(inviting)ステップ（１０２）と、
　前記１つまたは複数の動きセンサーを介して前記ユーザーから前記マイクロフォンジェスチャー入力を受け取るステップ（１０４）と、
　前記マイクロフォンジェスチャー入力を期待される(expected)ジェスチャー入力と比較するステップ（１０６）と、
　前記マイクロフォンジェスチャー入力と前記期待されるジェスチャー入力との比較に基づいて前記マイクロフォンジェスチャー入力を評価するステップ（１０８）と、
　前記評価(rating)に基づいて前記ユーザーにフィードバックを提供するステップ（１１０）と
を含み、
　マイクロフォンジェスチャー入力を求めるステップは、前記ユーザーによって真似られる(imitated)べきジェスチャーをディスプレイに表示するステップを含み、
　前記１つまたは複数の動きセンサーを介して、前記マイクロフォンが表面(a surface)に置かれた(setting down)ことを検出し、次いで前記マイクロフォンのモードを動作モードから非アクティブ(inactive)モードに切り替えるステップをさらに含む、
方法。」
２．引用発明
　原査定の拒絶の理由に引用された特開２００６−１６２９１６号公報（平成１８年６月２２日公開、以下「引用例１」という。）には、「音楽再生装置」に関し、図面とともに以下の記載がある。
ア．「【技術分野】
　【０００１】
  本発明は、例えば、カラオケボックスで使用されるカラオケ装置等の音楽再生装置に関し、特に、演奏評価機能の改良に関する。」
イ．「【課題を解決するための手段】
　【０００７】
  斯かる目的を達成するために、本発明の要旨とするところは、多数の演奏曲のうちから選択される所定の演奏曲を出力させる音楽再生装置であって、利用者の身体の少なくとも一部を評価対象としてその動作を検出するためのセンサと、そのセンサによる検出結果に基づいて前記評価対象の動作を判定する動作判定手段と、その動作判定手段による判定結果と予め定められた前記評価対象の模範動作とを比較することにより前記評価対象の動作を評価する動作評価手段とを、含むことを特徴とするものである。
　【発明の効果】
　【０００８】
　このようにすれば、利用者の身体の少なくとも一部を評価対象としてその動作を検出するためのセンサと、そのセンサによる検出結果に基づいて前記評価対象の動作を判定する動作判定手段と、その動作判定手段による判定結果と予め定められた前記評価対象の模範動作とを比較することにより前記評価対象の動作を評価する動作評価手段とを、含むことから、前記演奏曲の演奏における振り付け等の身体動作を評価することが可能とされ、娯楽性に富む新たな演奏評価を実現できる。すなわち、利用者に演奏する楽しみを与える新たな演奏評価機能を備えた音楽再生装置を提供することができる。
　【０００９】
　ここで、好適には、前記評価対象の模範動作を示す映像を表示させる模範動作表示手段を含むものである。このようにすれば、映像として表示される模範動作を参照しつつ演奏評価を楽しむことができるという利点がある。
　・・・（中略）・・・
　【００１１】
　また、好適には、前記動作評価手段による評価結果を表示させる評価結果表示手段を含むものである。このようにすれば、前記評価結果を視覚的に確認できるという利点がある。」
ウ．「【実施例】
　【００１６】
  図１は、本発明の音楽再生装置の一実施例であるカラオケ装置１０の構成を例示するブロック線図である。この図１に示すように、上記カラオケ装置１０は、ＣＲＴ等の映像表示装置１２と、映像情報デコーダ１４と、ビデオミキサ１６と、アンプミキサ１８と、スピーカ２０と、音声情報入力装置であるマイクロフォン２２と、操作パネル２４と、中央演算処理装置であるＣＰＵ２６と、ＲＯＭ２８と、ＲＡＭ３０と、記憶装置であるハードディスク３２と、モデム３４と、ＣＲＴコントローラ３６と、上記操作パネル２４等からの入力信号を処理する入出力インターフェイス３８と、音源であるシンセサイザ４０と、リモコン装置４８や電子早見本装置５０等の入力装置からのリモコン信号を受信するためのリモコン受信部４２と、その電子早見本装置５０等との間で無線ＬＡＮ通信を行うための無線ＬＡＮ通信部４４と、利用者の動作を検出するためのセンサ４６とを、備えて構成されている。
　【００１７】
  上記ＣＰＵ２６は、上記ＲＡＭ３０の一時記憶機能を利用しつつ上記ＲＯＭ２８に予め記憶された所定のプログラムに基づいて電子情報を処理・制御する所謂コンピュータであり、上記リモコン装置４８や電子早見本装置５０等により所定のカラオケ演奏曲が選曲された場合、その選曲されたカラオケ演奏曲を上記ＲＡＭ３０に設けられた予約曲リストに登録したり、その予約曲リストの演奏順に従って上記ハードディスク３２から上記ＲＡＭ３０に選曲されたカラオケ演奏曲の演奏情報及び歌詞情報等を読み出したり、カラオケ演奏曲の演奏が進行するのに応じてそのＲＡＭ３０から上記シンセサイザ４０へ演奏情報を送信したり、歌詞情報に基づいて歌詞文字映像を生成して上記ＣＲＴコントローラ３６へ送ったり、選曲時には曲名文字映像を生成して上記ＣＲＴコントローラ３６へ送ったり、上記映像情報デコーダ１４を制御して所定の背景映像を再生させる等の基本的な制御に加えて、上記センサ４６による検出結果に基づいて後述する演奏評価制御（アクション採点制御）を実行する。」
エ．「【００２２】
  図２は、前記カラオケ装置１０により利用者（歌唱者）５４がカラオケ演奏を行う様子を示す図である。前記センサ４６は、例えば、基準線に対する角度変化を検出するジャイロセンサや角度センサ、加速度の大きさ及び変化等を検出する加速度センサ、振動の大きさ及び変化等を検出する振動センサ等であり、上記利用者５４のカラオケ演奏に際して、その身体の少なくとも一部を評価対象としてその動作を検出する。好適には、図２に示すように前記マイクロフォン２２に内蔵されて一体的に設けられたものであり、そのマイクロフォン２２を持つ利用者５４の手（乃至は腕）を評価対象としてその動作を検出する。このセンサ４６により検出される評価対象の動作とは、例えば、評価対象の動作方向（角度）、動作量（変位量）、動作タイミング、動作軌跡等であり、ここで検出された動作を示す信号は、前記ＣＰＵ２６に供給されて後述する演奏評価制御（アクション採点制御）に用いられる。
　【００２３】
  図３は、前記カラオケ装置１０のＣＰＵ２６に備えられた制御機能の要部を説明する機能ブロック線図である。この図３に示すように、前記ハードディスク３２には、前記センサ４６の評価対象の動作に関する情報を記憶する動作データベース５６が設けられている。この動作に関する情報とは、動作評価手段６０による評価の基準となる評価対象の模範動作、例えば、評価対象の動作方向、動作量、動作タイミング、動作軌跡等の模範値（基準値）である。上記動作データベース５６に記憶される動作に関する情報は、好適には、特徴ある振り付け等に対応してカラオケ演奏曲毎に個別に定められたものであり、そのカラオケ演奏曲の選曲番号を同様に識別符号とする。また、この場合、各演奏曲毎の模範動作は、当然に各演奏曲（特にそのテンポ）を反映したものになる。
　【００２４】
  動作判定手段５８は、前記センサ４６による検出結果に基づいて前記評価対象の動作を
判定する。例えば、評価対象の動作方向、動作量、動作タイミング、動作軌跡等を判定する。また、動作評価手段６０は、上記動作判定手段５８による判定結果と前記動作データベース５６に予め記憶された前記評価対象の模範動作とを比較することにより前記評価対象の動作を評価する。この評価は、例えば、判定された動作方向の基準となる動作方向に対するずれ、判定された動作量と基準となる動作量との差、判定された動作タイミングの基準となる動作タイミングに対するずれ、判定された動作軌跡の基準となる動作軌跡に対するずれ等に基づいて行われる。本実施例では、百点満点で数値的に点数を採点する態様について説明するが、予め定められた複数種類の評価のうち何れかの評価を下す等、評価の態様は採点には限られない。
　【００２５】
  評価結果表示手段６２は、上記動作評価手段６０による評価結果を示す映像を前記映像表示装置１２に表示させる。また、模範動作表示手段６４は、前記動作データベース５６に記憶された評価対象の模範動作を示す映像を前記映像表示装置１２に表示させる。図４は、前記映像表示装置１２に評価結果を示す映像６６及び評価対象の模範動作を示す映像６８が表示された様子を示す図であり、この図４に示すように、上記評価結果表示手段６２は、前記ＣＲＴコントローラ３６及びビデオミキサ１６等の動作を制御することにより、上記動作評価手段６０による評価結果（採点された点数）である「アクション採点ただいま８０点」等の文字情報を含む映像６６を背景映像よりも上層のレイヤに合成させて表示させる。また、上記模範動作表示手段６４は、前記動作データベース５６に予め記憶された前記評価対象の模範動作に対応する所定のアニメーション等を含む映像６８を背景映像よりも上層のレイヤに合成させて表示させる。
　【００２６】
  前記動作評価手段６０は、好適には、予め定められたタイミング毎に前記評価を行うものであり、前記評価結果表示手段６２は、前記動作評価手段６０による評価が行われる毎にその評価結果を示す映像６６を更新するものである。すなわち、図４に示すように前記映像表示装置１２に表示された評価結果を示す映像６６は、所定のタイミング毎に更新され、時々刻々と変化させられる。前記模範動作表示手段６４により表示される模範動作を示す映像６８は、断続的乃至は連続的に変化させられるものであり、利用者５４はこれら経時的に変化する映像を参照しつつ身体動作を評価対象とする演奏評価を楽しむことができる。」
・上記ア及びイによれば、引用例１記載の「カラオケ装置等の音楽再生装置」は、利用者の振り付け等の身体動作を評価し、その評価を表示するものである。よって、引用例１には、利用者に評価を提供する方法が記載されているといえる。
　
・上記エ（段落【００２２】）及び図２によれば、マイクロフォン２２はセンサ４６を内蔵したものである。
　
・上記ウ、図１によれば、センサ４６は、演奏評価制御を実行するＣＰＵ２６や記憶装置であるハードディスク３２と通信できるものである。
　
・上記イ（段落【０００９】）、上記エ（段落【００２５】、【００２６】）及び図４によれば、映像表示装置１２に模範動作を示し、利用者は経時的に変化する映像を参照しつつ身体動作を行うものである。よって、模範動作を示すことにより、利用者に身体動作を求めているものといえる。
　
・上記エ、図１及び図３によれば、マイクロフォン２２のセンサ４６で検出された利用者の身体動作は、ＣＰＵ２６に供給されて、動作判定手段５８にて評価対象の動作を判定し、評価結果手段６０にて上記判定された動作と模範動作とを比較し評価を行うものである。その後、上記評価結果手段６０による評価結果を表示するものである。
　したがって、上記摘示事項及び図面を総合勘案すると、引用例１には、次の発明（以下、「引用発明」という。）が記載されているものと認める。
　「カラオケ装置等の音楽再生装置で利用者に評価を提供する方法であって、前記音楽再生装置は、センサ４６を内蔵するマイクロフォン２２を備え、前記音楽再生装置は、前記マイクロフォン２２と通信できるＣＰＵ２６及びハードディスク３２も備え、前記方法は、
　利用者に身体動作を求め、
　前記センサ４６を介して前記利用者から前記身体動作を受け取り、
　前記身体動作を模範動作と比較し、
　前記身体動作と前記模範動作との比較に基づいて前記身体動作を評価し、
　前記評価に基づいて前記利用者に評価を提供し、
　利用者から身体動作を求めるときは、模範動作を映像表示装置１２に表示する、
方法。」
　
　
　また、原査定の拒絶の理由に引用された特開２０００−２００５４号公報（平成１２年１月２１日公開、以下「引用例２」という。）には、「カラオケ装置」に関し、図面とともに以下の記載がある。
オ.「【請求項４】  歌唱用のマイクに、該マイクの運動または姿勢を検出するセンサを設けるとともに、
打楽器の楽音を発生する打楽器音源と、
前記センサが検出した運動または姿勢に応じて、前記打楽器用音源に打楽器の楽音を発生させる発音制御手段と、
を備えたことを特徴とするカラオケ装置。
　・・・（中略）・・・
　【請求項７】  歌唱用のマイクに、該マイクの運動または姿勢を検出するセンサを設け、
該センサが検出した運動または姿勢に応じて装置の動作を制御する制御手段と、
を備えたことを特徴とするカラオケ装置。
　【請求項８】  歌唱用のマイクに、該マイクの操作状態を検出するセンサを設け、
該センサの検出内容に応じて該マイクをオン／オフするマイク制御手段と、を備えたことを特徴とするカラオケ装置。」
カ．「【００２４】また、請求項４の発明では、歌唱用のマイクにその運動または姿勢を検出するセンサを設ける。センサとしては、回転運動を検出するジャイロセンサや傾きを検出する傾きセンサなどがある。利用者がマイクを持って揺動させるなどマイクを動かすと、センサがその運動やその結果の姿勢などを検出する。発音制御手段は、この運動や姿勢に応じて打楽器音を発生する。たとえば、マイクが一定距離以上振り下ろされたとき打楽器音を発生するなどである。これにより、歌唱用のマイクの操作で打楽器音を発生させることができる。
　【００２５】また、利用者が揺動させたり振動させたりするマイクの運動や姿勢は多様であるため、これに基づいて発生させる打楽器音を制御したり、音色を選択したりする。これにより、その運動や姿勢に応じた打楽器音を発生させることができる。また、請求項７の発明では、歌唱用のマイクに該マイクの運動または姿勢を検出するセンサを設け、該センサが検出した姿勢に応じてカラオケ装置の動作を制御する。この制御は、たとえば、このマイクをポインティングデバイスとして用いてモニタ上に表示されたアイコンを選択する動作や、揺動することによってカラオケ演奏の音量やテンポを制御する動作などである。これにより、特別のコントローラを用いなくても歌唱用のマイクを用いてカラオケ装置に対する種々の制御が可能になる。
　【００２６】また、請求項８の発明では、歌唱用のマイクに、利用者がこのマイクをどのように操作しているかを検出するセンサを設けた。このセンサとしては、取り扱いの状態を検出する振動センサや運動状態を検出するジャイロセンサ、利用者が持っているかいないかを検出するタッチセンサなどである。このセンサの検出内容に基づき、マイクが利用されていると判断した場合にはマイクをオンし、利用されていないと判断した場合にはマイクをオフするこれにより、不要な場面では自動的にマイクをオフすることができ、ハウリングや電力の消耗を防止することができる。また、必要な場面では自動的にマイクをオンすることができ、利用者のマイクの入れ忘れを防止することができる。」
キ．「【００９９】また、上記ようなセンサを内蔵したマイクを用いることにより、必要なときのみにマイク入力がオンされる自動オン／オフ機能付きのカラオケ歌唱用マイクを実現することができる。
　【０１００】図９は、この発明の実施形態である自動オン／オフ機能付きのカラオケ歌唱用マイクの外観を示す図である。このカラオケ歌唱用マイク８０は、利用者による取り扱い状態を検出するセンサ８２を内蔵している。センサ８２は、たとえば図４に示すようなジャイロセンサである。また、スライドスイッチである手元スイッチ８１は、４ステータスのスイッチであり、各ステータスは、それぞれＯＮ，ＡＵＴＯ１，ＡＵＴＯ２，ＯＦＦのモードを設定する。ＯＮは常時マイク入力が有効なモードである。ＯＦＦは常時マイク入力が無効のモードである。ＡＵＴＯ１は、カラオケ演奏がスタートすると自動的にマイク入力が有効になり、カラオケ演奏が終了すると自動的にマイク入力が無効になるモードである。また、ＡＵＴＯ２は、歌唱者にマイクが取り上げられ、且つ、カラオケ演奏がスタートしたときマイク入力が有効になり、カラオケ演奏が終了し、且つ、歌唱者がマイクを置いたときマイク入力が無効になるモードである。
　【０１０１】センサ８２が上記ジャイロセンサの場合には、マイクの方位が大きく揺動したとき、マイクが取り上げられた、または、マイクが置かれたと判断するようにすればよい。」
　
　
３．対比・判断
　そこで、本願発明と引用発明とを対比する。
　
ａ．引用発明の「カラオケ装置等の音楽再生装置」、「利用者に評価を提供」は、本願発明の「カラオケシステム」、「ユーザーフィードバックを提供」に相当する。
　
ｂ．引用発明の「センサ４６」は、上記エによると「基準線に対する角度変化を検出するジャイロセンサや角度センサ、加速度の大きさ及び変化等を検出する加速度センサ、振動の大きさ及び変化等を検出する振動センサ等」からなるものであるから、本願発明の「１つまたは複数の動きセンサー」に相当する。よって、引用発明の「センサ４６を内蔵するマイクロフォン２２」は、本願発明の「１つまたは複数の動きセンサーを有するマイクロフォン」に相当する。
　
ｃ．本願発明の「娯楽コントローラー」は、本願発明に記載された他の構成要件との関連が不明であるところ、本願明細書及び図４を参酌すると、マイクロフォンジェスチャー入力と期待されるジェスチャー入力を比較し評価するためのプロセッサーやメモリを備えたものと認定できる。よって、引用発明の「マイクロフォン２２と通信できるＣＰＵ２６及びハードディスク３２」は、本願発明の「マイクロフォンと通信状態にある娯楽コントローラー」に相当する。
　
ｄ．引用発明の「利用者に身体動作を求め」は、模範動作が表示された映像を見て利用者が身体動作を行うようにするものであるから、本願発明の「ユーザーにマイクロフォンジェスチャー入力を求めるステップ」に相当する。また、「利用者から身体動作を求めるときは、模範動作を映像表示装置１２に表示する」は、本願発明の「マイクロフォンジェスチャー入力を求めるステップは、前記ユーザーによって真似られるべきジェスチャーをディスプレイに表示するステップ」に相当する。
　
ｅ．引用発明の「模範動作」は、上記ｄのとおり、本願発明の「真似られるべきジェスチャー」に相当するものであるが、本願発明の「期待されるジェスチャー」にも相当する。
　
ｆ．引用発明の「受け取り」、「比較し」、「評価し」、「提供し」、「表示する」は、時系列に行っており、それぞれ本願発明の「受け取るステップ」、「比較するステップ」、「評価するステップ」、「提供するステップ」、「表示するステップ」に相当する。
　
　よって、本願発明と引用発明とは、以下の点で一致、相違する。
（一致点）
　「カラオケシステムでユーザーフィードバックを提供する方法であって、前記カラオケシステムは、１つまたは複数の動きセンサーを有するマイクロフォンを備え、前記カラオケシステムは、前記マイクロフォンと通信状態にある娯楽コントローラーも備え、前記方法は、
　ユーザーにマイクロフォンジェスチャー入力を求めるステップと、
　前記１つまたは複数の動きセンサーを介して前記ユーザーから前記マイクロフォンジェスチャー入力を受け取るステップと、
　前記マイクロフォンジェスチャー入力を期待されるジェスチャー入力と比較するステップと、
　前記マイクロフォンジェスチャー入力と前記期待されるジェスチャー入力との比較に基づいて前記マイクロフォンジェスチャー入力を評価するステップと、
　前記評価に基づいて前記ユーザーにフィードバックを提供するステップと、
を含み、
　マイクロフォンジェスチャー入力を求めるステップは、前記ユーザーによって真似られるべきジェスチャーをディスプレイに表示するステップを含む、
方法。」
（相違点） 
　本願発明は、「前記１つまたは複数の動きセンサーを介して、前記マイクロフォンが表面に置かれたことを検出し、次いで前記マイクロフォンのモードを動作モードから非アクティブモードに切り替えるステップ」を備えるのに対し、引用発明はその旨の記載がない点。
　上記相違点について検討する。
　上記オ乃至キに記載されているように、引用例２には、マイクを動かすことによって、打楽器音を発生させる例、ポインティングデバイスとして用いる例、カラオケ演奏の音量やテンポを制御する例、マイクを取り上げたとき／置いたときにマイクの入力が有効／無効にさせる例、といった様々な使用方法が記載されている。これらの事項は、センサを内蔵したマイクを用いれば容易に行うことができる事項である。
　したがって、引用発明のセンサーを有するマイクロフォンにおいて、引用例２に記載された一例である「センサの検知による入力有効／無効に切り替える」手段を付加して相違点の構成とすることは、当業者であれば適宜なし得た事項である。
　そして、本願発明が奏する効果は、引用発明及び引用例２から当業者が十分に予測できたものであって、格別顕著なものとはいえない。
４．むすび
　以上のとおり、本願発明は、引用例１及び引用例２に記載された発明に基づいて当業者が容易に発明をすることができたものであるから、特許法第２９条第２項の規定により特許を受けることができない。
　したがって、本願は、その余の請求項について言及するまでもなく、本願は拒絶すべきものである。
　
　よって、結論のとおり審決する。